(57)【要約】【課題】  カメムシ類等の臭いを放つ害虫を駆除するに際して、前記害虫による臭いの発生がないようにするための薬液の噴霧方法及びエアゾール剤を提供する。【解決手段】  臭いを放つ害虫に向かって薬液を噴霧するに際して、噴霧開始から３秒以内に前記害虫がノックダウン又は致死するように前記薬液を前記害虫に到達させるように噴霧する薬液の噴霧方法、並びに噴霧開始から３秒以内に前記害虫がノックダウン又は致死する有効量の前記薬液を前記害虫に到達させるように調整されたエアゾール剤。【選択図】  図１
2004215662.tif 000002
【特許請求の範囲】
【請求項１】
臭いを放つ害虫に向かって薬液を噴霧するに際して、噴霧開始から３秒以内に前記害虫がノックダウン又は致死するように前記薬液を前記害虫に到達させるように噴霧することを特徴とする薬液の噴霧方法。
【請求項２】
噴霧される薬液の平均粒子径が９０μｍ以上となるように噴霧することを特徴とする請求項１記載の薬液の噴霧方法。
【請求項３】
害虫との距離が１００ｃｍ以内で噴霧することを特徴とする請求項１又は２記載の薬液の噴霧方法。
【請求項４】
冷却剤を含有した薬液を噴霧することを特徴とする請求項１乃至３のいずれか１項に記載の薬液の噴霧方法。
【請求項５】
ベンジルアルコールを含有する薬液を噴霧することを特徴とする請求項１乃至４の何れか１項に記載の薬剤の噴霧方法。
【請求項６】
臭いを放つ害虫に向かって薬液を噴霧するためのエアゾール剤であって、噴霧開始から３秒以内に前記害虫がノックダウン又は致死する有効量の前記薬液を前記害虫に到達させるように調整されたことを特徴とするエアゾール剤。
【発明の詳細な説明】
【技術分野】
【０００１】
本発明は、カメムシ類等の臭いを放つ害虫を駆除するに際して、前記害虫による臭いの発生がないようにするための薬液の噴霧方法及びエアゾール剤に関する。
【背景技術】
【０００２】
不快な臭いを放つ害虫として一般にはカメムシがよく知られている。そしてカメムシは農作物を加害することから、古くから農業害虫として防除の対象とされてきた。また近年ではカメムシの生息域と人間の住居とが接近するようになり、生理的嫌悪感や悪臭の発生などの被害が増えて不快害虫としても注目されるようになった。そしてその被害は増える傾向にあることから、カメムシを防除するための手段が検討されている。例えば、シラフルオフェンとピレスロイド系殺虫剤とを含有した液剤もしくはエアゾール剤を用いてカメムシの家屋内への侵入を阻止する方法などが検討されている（例えば、特許文献１参照）。またペルメトリンを含有したゴキブリ用燻煙剤を用いてカメムシを家屋から追い出したり、ペルメトリン乳剤を外壁に施用して家屋内への侵入を阻止する方法が提案されている（例えば、非特許文献１参照）。
【０００３】
【特許文献１】特開平８−５９４１３号公報（第１−５頁）
【非特許文献１】阿部畦作，「北海道のカメムシ対策」，生活と環境，日本環境衛生センター，１９８９年，ＶＯＬ．３４，Ｎｏ．５，ｐ．２７−３２
【発明の開示】
【発明が解決しようとする課題】
【０００４】
これらの手段はカメムシの家屋内への侵入を防ぐことを目的としたものであるから、カメムシの刺激反応による悪臭の発生を防ぐことはできず、その被害を軽減するには十分ではない。そして従来はカメムシによる悪臭の発生を防ぐという目的で検討されたものはなく、その解決手段も知られてはいない。
【０００５】
そこで本発明は上記の欠点を解消し、カメムシ類等の臭いを放つ害虫を駆除するに際して、前記害虫による臭いの発生がないようにするための薬液の噴霧方法及びエアゾール剤を提供することを目的とするものである。
【課題を解決するための手段】
【０００６】
本発明者らは上記の課題を満足するために鋭意検討した結果、臭いを放つ害虫（以下、害虫とも言う）に向かって薬液を噴霧するに際して、害虫が悪臭を発するまでの間にノックダウン又は致死させることが有効であり、そのための噴霧条件を種々検討したところ、噴射開始から３秒以内、好ましくは２秒以内にノックダウン又は致死するように薬液を前記害虫に到達させるように噴霧することにより、臭いの発生がなく害虫を駆除することができることを見出し本発明に至った。すなわち本発明は、以下の構成により達成されるものである。
（１）臭いを放つ害虫に向かって薬液を噴霧するに際して、噴霧開始から３秒以内に前記害虫がノックダウン又は致死するように前記薬液を前記害虫に到達させるように噴霧することを特徴とする薬液の噴霧方法。
（２）噴霧される薬液の平均粒子径が９０μｍ以上となるように噴霧することを特徴とする上記（１）記載の薬液の噴霧方法。
（３）害虫との距離が１００ｃｍ以内で噴霧することを特徴とする上記（１）又は（２）記載の薬液の噴霧方法。
（４）冷却剤を含有した薬液を噴霧することを特徴とする上記（１）乃至（３）のいずれか１項に記載の薬液の噴霧方法。
（５）ベンジルアルコールを含有する薬液を噴霧することを特徴とする上記（１）乃至（４）の何れか１項に記載の薬剤の噴霧方法。
（６）臭いを放つ害虫に向かって薬液を噴霧するためのエアゾール剤であって、噴霧開始から３秒以内に前記害虫がノックダウン又は致死する有効量の前記薬液を前記害虫に到達させるように調整されたことを特徴とするエアゾール剤。
【発明の効果】
【０００７】
本発明の薬液の噴霧方法及びエアゾール剤によって、ある程度の距離があってもカメムシ等の臭いを放つ害虫を瞬時（３秒以内）にノックダウン又は致死することができるので、臭いの発生がなく害虫を駆除することができる。そのため従来からの課題であった臭いによる被害を防止、軽減するのに大いに役立つものである。
【発明を実施するための最良の形態】
【０００８】
本発明の実施の形態について以下に説明する。本発明の薬液の噴霧方法においては、エアゾール剤として薬液を噴霧するのが便利でよい。またポンプ剤や電動噴霧器に適用できる製剤としてもよい。ここでエアゾール剤の１例を示して具体的に説明すると、薬液として２，３−ジハイドロデカフロロペンタン２１ｍｌ及びイソペンタン９ｍｌ（又はイソプロパノール）、噴射剤としてジメチルエーテル２３０ｍｌ（又は液化石油ガス）をエアゾール容器に充填してエアゾール剤を調製する。エアゾール容器として、図１に示したような噴射用ボタン１（噴口径が１ｍｍの噴口１０を８個もち、噴口の総面積が約６．３ｍｍ２である噴口部材２０）とエアゾールバルブ（０．６ｍｍのステム径を１個もち、２．２ｍｍのハウジング径を具備し、ベーパータップがないもの）を備えたものを例示できる。
【０００９】
そして調製されたエアゾール剤を２０〜１００ｃｍぐらいの距離から害虫に向かって１〜３秒ぐらい噴霧（噴射量１〜１８ｍｌ相当）することで、悪臭の発生を伴うことなく害虫を３秒以内にノックダウン又は致死することができる。ノックダウンした害虫は必要に応じて廃棄するなどして駆除すればよい。
【００１０】
本発明は上記のものに限定されるものではなく、発明の効果を奏する限り以下の冷却剤を用いてもよく、メタノール、エタノール、イソプロパノール等の低級アルコール、プロパン、ブタン、ペンタン、イソペンタン、シクロペンタン等の飽和炭化水素、２，３−ジハイドロデカフロロペンタン等の１種又は２種以上を用いることができる。前記冷却剤は薬液として使用してもよく（すなわち、薬液として含有量１００重量％）、また薬剤と併用してもよく、その場合の含有量は薬液全量の１０〜７５重量％とすることが好ましい。  さらに必要に応じて高吸液性ポリマーやゲル化剤等の蓄冷剤を併用することでノックダウンや致死効果を向上させることもできる。
【００１１】
また天然ピレトリン、プラレトリン、イミプロトリン、フタルスリン、アレスリン、トランスフルトリン、レスメトリン、フェノトリン、シフェノトリン、ｄ，ｄ−Ｔ９９−シフェノトリン、ペルメトリン、サイパーメスリン、エトフェンプロックス、シフルスリン、デルタメスリン、ビフェントリン、フェンバレレート、フェンプロパスリン、シラフルオフェン、（Ｓ）−２−メチル−４−オキソ−３−（２−プロピニル）−シクロペント−２−エニル（１Ｒ）−トランス−３−（２、２−ジクロロビニル）−２、２−ジメチルシクロプロパンカルボキシレート、２，３，５，６−テトラフルオロ−４−メトキシメチルベンジル−３−（１−プロペニル）−２，２−ジメチルシクロプロパンカルボキシレート、メトフルスリン、Ｓ−１８６４（住友化学工業社製）等のピレスロイド系化合物、ジクロルボス等の有機リン系化合物、プロポクスル等のカーバメート系化合物、メトキサジアゾン等のオキサジアゾール系化合物、アミドフルメット等のスルホンアミド系化合物、ジノテフラン等のニコチノイド系化合物、クロルフェナピル、フィプロニル等のピラゾール系化合物等の殺虫化合物、ハッカ油、テレピン油、ベンジルアルコール等の精油、イソプロピルメチルフェノール、チモール等のアルキルフェノール、界面活性剤、S−２８４７（住友化学工業社製）等の中から害虫に応じて１種又は２種以上を薬液に含有させてもよい。これらの殺虫作用をもつ成分を用いることでノックダウンに加えて致死させることができるので有効である。またこれらの殺虫作用をもつ成分はノックダウンさせた害虫を致死させる目的で上記の冷却剤と併用してもよい。これらの殺虫作用をもつ成分は薬液に０．０１〜６０重量％、好ましくは１〜２０重量％含有させればよい。中でも、ベンジルアルコールをエアゾール剤３００ｍｌ当たり０．３ｇ以上、好ましくは０．５ｇ以上含有することが好ましい。更には、冷却剤を５〜６０ｍｌ併用するとより好ましい。
【００１２】
噴霧するための製剤を調製する場合には液体担体を用いることができ、水、アルキルベンゼン等の芳香族炭化水素、灯油、パラフィン系炭化水素、ナフテン系炭化水素等の飽和炭化水素、オクテン等の不飽和炭化水素、イソプロピルアルコール、エチルアルコール、オレイルアルコール、ラウリルアルコール等のアルコール類、ミリスチン酸イソプロピル等のエステル類、ポリエチレングリコール、ポリプロピレングリコール等のグリコール類、アルキルフェニルエーテル等のエーテル類、ジクロルメタン等の塩素系溶剤、フッ素系溶剤、シリコーン系溶剤等の１種又は２種以上を用いることができる。
【００１３】
また噴射剤としては、例えば、窒素ガス、圧縮空気、炭酸ガス等の圧縮ガス、ＨＦＣ−１５２ａ、ＨＦＣ−１３４ａ等のハイドロフルオロカーボン；ジメチルエーテル等の液化ガス、プロパン、ブタン、イソブタン等の液化石油ガス、ノルマルペンタン、イソペンタン、シクロペンタン等のペンタン等の１種又は２種以上を用いることができる。
【００１４】
さらに必要に応じて、ＰＯＥアルキルエーテル、ＰＯＥ脂肪酸エステル等の界面活性剤、乳酸エステル、アルキルピロリドン、ポリビニルピロリドン、炭酸プロピレン等の溶解助剤、ピペロニルブトキサイド、Ｎ−オクチルビシクロヘプテンジカルボキシミド（ＭＧＫ２６４）、１，１’−オキシビス〔２，３，３，３−テトラクロロプロパン〕（Ｓ４２１）等の効力増強剤、ラノリン等の展着剤、ポリフェノール等の消臭剤；ラベンダー、フローラルグリーン等の香料等を含有してもよい。
【００１５】
エアゾール容器は上記の仕様に替えて、図１に示したような噴射用ボタンであって、噴口径が０．７〜１．５ｍｍの噴口を複数（２〜１０）有し、この総面積が０．７〜１８ｍｍ２である噴口部材を設けた噴霧用ボタンを用いてもよい。さらにエアゾールバルブにおいて、開口面積０．２〜３．６ｍｍ２（例えば、直径０．５〜０．６ｍｍのものを１個、または直径０．４５〜０．６ｍｍのものを２個、または直径０．６ｍｍのものを１個が例示できる）で、１〜２．２ｍｍの範囲のハウジング径、１ｍｍ以下のベーパータップ径を有するものがよい。尚、ベーパータップは必ずしも有する必要はない。
【００１６】
また、図２及び図３に示すように、長尺ノズル３０及び噴口５０を備える切換えノズル付き噴霧用ボタン１を用いることもできる。この噴射用ボタン１は、図２に示すように、長尺ノズル３０を容器本体４０と略垂直に立てて、先端の噴口部材２０からエアゾール内容物を噴射したり、図３に示すように、長尺ノズル３０を容器本体４０側に倒して噴口５０からエアゾール内容物を噴射するものである。尚、長尺ノズル３０の先端の噴口部材２０は上記と同様の構成とすることができ、噴口５０はメカニカルブレイクアップ噴口やストレート噴口とすることができる。また、図中の符号３１は、長尺ノズル３０を倒したり、立てたりする操作をしやすくするための挟持部である。長尺ノズル３０を立てて使用する場合、臭いを放つ害虫から離れて噴霧できるため好適である。
【００１７】
噴射により臭いを放つ害虫が吹き飛び、場合によっては薬液と十分に接触できないことがあるが、図４に模式的に示すように、長尺ノズル３０の容器本体４０とのジョイント部Ａの内径（ミドルオリフィス径）を噴口部材２０との接続部Ｂの内径（ミドルオリフィス径）よりも小さくすることにより、両内径を同じにしたときに比べて噴射の勢いが減り、同一の噴射量で比較すると、噴射による吹き飛びを抑えることができる。また、同一の噴射量で冷却効果がより遠方まで作用するという利点も得られる。
【００１８】
エアゾール容器には薬液５〜３０容量％に対して噴射剤９５〜７０容量％となるように充填するのがよい。
【００１９】
害虫に向かって噴霧するに際しては、薬液が害虫と直接接触するように、１００ｃｍ以内、好ましくは５０ｃｍ以内の距離から１〜３秒ぐらい噴霧（噴射量１〜１８ｍｌ相当）すると効果的である。この場合の距離はエアゾール剤の噴口と害虫との直線距離である。
【００２０】
エアゾール剤を用いて薬液を噴霧して害虫を防除するに際しては、上記の仕様に基づいて噴霧される薬液の平均粒子径が９０μｍ以上、好ましくは１２０〜２５０μｍとなるように調整するのがよい。平均粒子径は粒度分布測定装置により測定され、自動演算処理装置により解析されたＤ５０（累積５０％）を意味するものである。具体的には、粒度分布測定装置のレーザー光発光部より受光部に照射されるレーザービームと、検体の噴射口との距離が約５０ｃｍとなる位置から、噴射物がレーザービームを垂直に通過するように検体を噴射する。噴射中に測定を行い、噴射物の粒度分布を自動演算処理装置により解析することで求められる。またポンプ剤や電動噴霧器に適用できる製剤を噴霧する場合であっても、上記の条件を満足するものであれば発明の効果を奏する限り使用することができる。
【００２１】
また薬液に発泡性樹脂等を含むことで、噴霧した際に害虫を包み込むようにしてもよい。このようにすると悪臭の発生がよりないものとできる。また薬液に粘性成分を含むことで害虫の悪臭放出口（分泌腺など）を閉塞するようにしてもよい。
【００２２】
本発明は、ツチカメムシ、クサギカメムシ、アオクサカメムシ、マルカメムシ、スコットカメムシ、チャバネアオカメムシ、ツヤアオカメムシ、イチモンジカメムシ、ホシハラビロヘリカメムシ、ホオズキカメムシ等のカメムシ類、オオトビサシガメ、ヤニサシガメ等のサシガメ類、ヤスデ類、ゴミムシ類、オサムシ類等の臭いを放つ害虫を対象とするものである。
【実施例】
【００２３】
以下に実施例によって本発明をさらに詳しく説明するが、本発明はこれらに限定されるものではない。
【００２４】
・生物試験１
表１記載の組成物を以下の仕様のエアゾール容器（Ａ）に圧力充填してエアゾール剤（実施例１〜４）を調製した。そして地面にクサギカメムシを１頭ずつ放し自由に活動できる条件とし、そこに実施例１〜４のエアゾール剤を約２０ｃｍの距離（噴口とカメムシとの直線距離）から２秒間噴霧（噴射量６ｍｌ相当）して、ノックダウン時間、臭いの発生、２４時間後の致死（％）について調べた。試験は３回行い、ノックダウン時間はその平均値とした。試験の結果を表２に記載した。比較例として市販のカメムシ用エアゾール剤（シラフルオフェンとフェノトリンを有効成分としたもの）を同じ条件で噴霧して用いた。また実施例１〜４及び比較例のエアゾール剤の粒子径を、上記した粒度分布測定装置により測定した。測定した粒子径を表２に記載した。
エアゾール容器（Ａ）
噴射用ボタン；図１に示す構成で、噴口径が１ｍｍの噴口を８個もち、噴口の総面積が約６．３ｍｍ２である噴口部材を具備したもの。
エアゾールバルブ；０．６ｍｍのステム径を１個もち、２．２ｍｍのハウジング径を具備し、ベーパータップがないもの。
【００２５】
【表１】
2004215662.tif 000003
【００２６】
【表２】
2004215662.tif 000004
【００２７】
本発明の実施例１〜４のエアゾール剤を用いた防除方法においては、カメムシは２秒以内にノックダウンして臭いの発生がなく駆除することができた。比較例のものはカメムシに対する致死効果はあるものの、ノックダウンまでに約６０秒を要し、その間に強い臭いがあった。
【００２８】
・生物試験２
イソプロピルメチルフェノール１ｇとミリスチン酸イソプロピル０．５ｇを含むエタノール溶液１５ｍｌ、イソペンタン６０ｍｌ、液化石油ガス１２３ｍｌ、ジメチルエーテル１０２ｍｌからなる組成物を上記のエアゾール容器（Ａ）に圧力充填した。そして生物試験（１）と同じ方法で効果を確認した結果、カメムシは２秒以内にノックダウンし、臭いの発生はなかった。また２４時間後の致死（％）は１００であった。またエアゾール剤の粒子径は１９４μｍであった。
【００２９】
・生物試験３
エタノール１５ｍｌ、イソペンタン６０ｍｌ、液化石油ガス１２３ｍｌ、ジメチルエーテル１０２ｍｌからなる組成物を上記のエアゾール容器（Ａ）に圧力充填した。そして地面にクサギカメムシの雄雌１頭ずつを放し自由に活動できる条件とし、そこにエアゾール剤を所定の距離（噴口とカメムシとの直線距離）から２秒間噴霧（噴射量６ｍｌ相当）して、ノックダウン時間、臭いの発生、２４時間後の致死（％）について調べた。試験は３回行い、ノックダウン時間はその平均値とした。試験の結果を表３に記載した。またエアゾール剤の粒子径は１８１μｍであった。
【００３０】
【表３】
2004215662.tif 000005
【００３１】
本発明のエアゾール剤を用いた防除方法においては、カメムシとの距離が１００ｃｍ以内であれば２〜３秒以内にノックダウンさせて臭いの発生がないか、あってもわずかに臭う程度で実質問題とならずに駆除することができた。
【００３２】
・生物試験４
ベンジルアルコール２ｇを含むエタノール溶液１５ｍｌ、イソペンタン６０ｍｌ、液化石油ガス１２１ｍｌ、ジメチルエーテル１０４ｍｌからなる組成物を下記に示すエアゾール容器（Ｂ）に圧力充填した。
エアゾール容器（Ｂ）
噴射用ボタン；図２に示す構成で、長尺ノズルは内径３ｍｍの直管、噴口部材は噴口径が１ｍｍの噴口を８個もち、噴口の総面積が約６．３ｍｍ２。
エアゾールバルブ；１．２ｍｍのステム径を３個もち、２．２ｍｍのハウジング径を具備し、ベーパータップがないもの。
【００３３】
そして地面にマルカメムシを１頭放し自由に活動できる条件とし、そこにエアゾール剤を、噴口とマルカメムシとの直線距離８０ｃｍの位置から２秒間噴霧（噴射量６ｍｌ相当）した。試験は１０回行い、何れの場合も噴射直後にマルカメムシはノックダウンし、また２４時間後の致死（％）は１００であった。
【００３４】
・生物試験５
ベンジルアルコール２ｇを含むエタノール溶液１５ｍｌ、イソペンタン６０ｍｌ、液化石油ガス１２１ｍｌ、ジメチルエーテル１０４ｍｌからなる組成物を下記に示すエアゾール容器（Ｃ）に圧力充填した。
エアゾール容器（Ｃ）
噴射用ボタン；図２に示す構成で、長尺ノズルは内径３ｍｍの直管、口径０．５５ｍｍのメカニカルブレイクアップ噴口。
エアゾールバルブ；０．６ｍｍのステム径を２個もち、２．２ｍｍのハウジング径を具備し、ベーパータップがないもの。
【００３５】
そして地面にクサギカメムシを１頭放し自由に活動できる条件とし、そこにエアゾール剤を、噴口とクサギカメムシとの直線距離７０ｃｍの位置から２秒間噴霧（噴射量６ｍｌ相当）した。試験は２回行い、何れの場合も噴射直後にクサギカメムシはノックダウンし、また２４時間後の致死（％）は１００であった。
【００３６】
・生物試験６
ベンジルアルコール２ｇを含むエタノール溶液３０ｍｌ、イソペンタン６０ｍｌ、液化石油ガス１１３ｍｌ、ジメチルエーテル９７ｍｌからなる組成物を上記のエアゾール容器（Ｃ）に圧力充填した。
【００３７】
そして地面にクサギカメムシを１頭放し自由に活動できる条件とし、そこにエアゾール剤を、噴口とクサギカメムシとの直線距離７０ｃｍの位置から２秒間噴霧（噴射量６ｍｌ相当）した。試験は２回行い、何れの場合も噴射直後にクサギカメムシはノックダウンし、また２４時間後の致死（％）は１００であった。
【００３８】
・生物試験７
表４に示すように、ベンジルアルコールの含有量の異なる組成物を調製し、図３に示すように長尺ノズルを倒した状態で０．８ｍｍのストレート噴口が現われるエアゾール容器（Ｄ）に圧力充填した。
【００３９】
そして地面にクサギカメムシを５頭放し自由に活動できる条件とし、そこにエアゾール剤を、噴口とクサギカメムシとの直線距離２０ｃｍの位置から２秒間噴霧（噴射量６ｍｌ相当）して２４時間後の致死（％）を調べた。結果を表４に併記するが、ベンジルアルコールを３００ｍｌ当たり０．３ｇ含有することで致死（％）を８０とすることができ、更に０．５ｇ以上含有することにより、致死（％）を１００とすることができる。
【００４０】
【表４】
2004215662.tif 000006
【００４１】
・生物試験８
上記エアゾール容器（Ｂ）を、長尺ノズルのジョイント部の内径（ミドルオリフィス径）及び噴口部材との接続部の内径（ミドルオリフィス径）をそれぞれ表５に示すように変えて作製し、生物試験４で用いた組成物を圧力充填した。
【００４２】
そして、噴口からの直線距離５０ｃｍ及び７０ｃｍの位置に熱電対温度計を配置し、エアゾール剤を噴霧して両位置における温度を測定した。結果を表５に併記するが、ジョイント部のミドルオリフィス径を噴口部材の接続部のミドルオリフィス径より絞ることで同一の噴射量でより高い冷却効果が得られている。
【００４３】
【表５】
2004215662.tif 000007
【００４４】
以下に本発明のエアゾール剤の製剤例を示す。
・製剤例１
イミプロトリン０．０３３ｇとフェノトリン０．０３３ｇとを含むイソプロピルアルコール溶液１５ｍｌ、イソペンタン６０ｍｌ、液化石油ガス１２３ｍｌ、ジメチルエーテル１０２ｍｌからなる組成物を、上記のエアゾール容器（Ａ）〜（Ｆ）に圧力充填し、本発明のエアゾール剤とする。
・製剤例２
イミプロトリン０．０３３ｇとシフェノトリン０．０２ｇとを含むイソプロピルアルコール溶液１５ｍｌ、イソペンタン６０ｍｌ、液化石油ガス１２３ｍｌ、ジメチルエーテル１０２ｍｌからなる組成物を、上記のエアゾール容器（Ａ）〜（Ｆ）に圧力充填し、本発明のエアゾール剤とする。
・製剤例３
ベンジルアルコール２ｇを含むエタノール溶液１５ｍｌ、イソペンタン６０ｍｌ、液化石油ガス１２１ｍｌ、ジメチルエーテル１０４ｍｌからなる組成物を、上記のエアゾール容器（Ａ）〜（Ｆ）に圧力充填し、本発明のエアゾール剤とする。
【図面の簡単な説明】
【００４５】
【図１】本発明のエアゾール剤に用いるエアゾール容器の噴射用ポタンの一例を示す斜視図である。
【図２】エアゾール容器の他の例を示す斜視図であり、長尺ノズルを立てた状態を示す図である。
【図３】図２に示したエアゾール容器の長尺ノズルを倒した状態を示す斜視図である。
【図４】図２に示したエアゾール容器において、長尺ノズルの径の影響を説明するための模式図である。
【符号の説明】
【００４６】
１  噴射用ボタン
１０  噴口
２０  噴口部材
３０  長尺ノズル
４０  容器本体
【図１】
2004215662.tif 000008
【図２】
2004215662.tif 000009
【図３】
2004215662.tif 000010
【図４】
2004215662.tif 000011